(57)【要約】【課題】  複数の視方向に対する個別の映像を同一画面上に表示可能な表示部に対して、複数の視方向のうちの所定の方向に対する表示映像を、使用者が所望する内容や状態に自動的に切り替える制御を実施することができる表示制御装置を提供すること。          【解決手段】  複数の視方向に対する個別の映像を同一画面上に表示可能な表示部を制御するための表示制御装置であって、所定の表示切替条件に基づいて、前記複数の視方向のうちの所定の方向に対する表示映像の切替制御を行う表示制御手段を装備する。【選択図】  図９
2006184859.tif 000002
【特許請求の範囲】
【請求項１】
複数の視方向に対する個別の映像を同一画面上に表示可能な表示部を制御するための表
示制御装置であって、
所定の表示切替条件に基づいて、前記複数の視方向のうちの所定の方向に対する表示映
像の切替制御を行う表示制御手段を備えていることを特徴とする表示制御装置。
【請求項２】
前記複数の視方向のうちのどの方向に対する表示映像の切替が行なわれたかを判断する
切替方向判断手段と、
前記表示切替条件が前記切替方向判断手段により判断された切替方向と関係するもので
あるか否かを判断する切替条件判断手段とを備え、                                  
前記表示制御手段が、
前記切替条件判断手段により、前記表示切替条件が前記切替方向と関係するものである
と判断された場合、前記所定の方向に対する表示映像を前記切替方向と同じ表示映像に切
り替える制御を行うものであることを特徴とする請求項１記載の表示制御装置
【請求項３】
前記表示部には、１つの画面で、第１の方向と、第２の方向と、第３の方向とに対して
、異なる映像を映し出すための分離表示手段が装備され、
前記表示制御手段が、前記表示切替条件に基づいて、前記第２及び／又は第３の方向に
対する表示映像の切替制御を行うものであることを特徴とする請求項１又は請求項２記載
の表示制御装置。
【請求項４】
前記表示切替条件が、前記第２及び／又は第３の方向に対する表示映像を、前記第１の
方向に対する表示映像と同じ映像に切り替えるという条件であることを特徴とする請求項
３記載の表示制御装置。
【請求項５】
前記表示切替条件が、前記第３の方向に対する表示映像を、前記第２の方向に対する表
示映像と同じ映像に切り替えるという条件であることを特徴とする請求項３記載の表示制
御装置。
【請求項６】
前記表示切替条件が、前記第２又は第３の方向に対する表示映像を出力しないという条
件であることを特徴とする請求項３記載の表示制御装置。
【請求項７】
前記表示切替条件が、前記第３の方向に対する表示映像には、該第３の方向用に設定さ
れた映像を表示するという条件であることを特徴とする請求項３記載の表示制御装置。
【請求項８】
前記表示切替条件を設定するための表示切替条件設定手段を備えていることを特徴とす
る請求項１〜３のいずれかの項に記載の表示制御装置。
【請求項９】
複数の視方向に対する個別の映像を同一画面上に表示可能な表示部と、
請求項１〜８のいずれかの項に記載の表示制御装置とを含んで構成されていることを特
徴とする表示装置。
【請求項１０】
複数の視方向に対する個別の映像を同一画面上に表示可能な表示部を制御するための表
示制御装置であって、
前記表示部には、各視方向に対する光の透過領域を変更するための光透過領域変更手段
が装備され、
該光透過領域変更手段による各視方向に対する光の透過領域の変更と、前記各視方向に
表示させる映像の表示解像度とを対応させて制御する表示制御手段を備えていることを特
徴とする表示制御装置。
【請求項１１】
前記表示部に映し出される映像数の変化を検出する映像数検出手段を備え、          
前記表示制御手段が、前記映像数検出手段により検出された映像数に基づいて、前記光
透過領域変更手段による前記各視方向に対する光の透過領域の変更と、前記各視方向に表
示させる映像の表示解像度とを対応させて制御するものであることを特徴とする請求項１
０記載の表示制御装置。
【請求項１２】
前記表示部に映し出される映像の種別を判別する映像種別判別手段を備え、
前記表示制御手段が、前記映像種別判別手段により判別された映像種別に基づいて、前
記光透過領域変更手段による前記各視方向に対する光の透過領域の変更と、前記各視方向
に表示させる映像の表示解像度とを対応させて制御するものであることを特徴とする請求
項１０記載の表示制御装置。
【請求項１３】
前記表示部に映し出された、いずれかの映像に対する視認領域の変更操作を検出する視
認領域変更操作検出手段を備え、
前記表示制御手段が、前記視認領域変更操作検出手段により検出された前記視認領域の
変更操作に基づいて、前記光透過領域変更手段による前記各視方向に対する光の透過領域
の変更と、前記各視方向に表示させる映像の表示解像度とを対応させて制御するものであ
ることを特徴とする請求項１０記載の表示制御装置。
【請求項１４】
前記表示部に映し出された、いずれかの映像に対する操作を検出する操作検出手段を備
え、
前記表示制御手段が、前記操作検出手段により検出された操作に基づいて、前記光透過
領域変更手段による前記各視方向に対する光の透過領域の変更と、前記各視方向に表示さ
せる映像の表示解像度とを対応させて制御するものであることを特徴とする請求項１０記
載の表示制御装置。
【請求項１５】
前記光透過領域変更手段が、液晶シャッターから構成され、
該液晶シャッターの遮光パターンが記憶された遮光パターン記憶手段を備え、
前記表示制御手段が、前記遮光パターン記憶手段から光の透過領域の変更条件に対応し
た遮光パターンを読み出し、該遮光パターンに基づいて前記液晶シャッターの制御を行う
ものであることを特徴とする請求項１０〜１４のいずれかの項に記載の表示制御装置。
【請求項１６】
複数の視方向に対する個別の映像を同一画面上に表示可能に構成され、各視方向に対す
る光の透過領域を変更するための光透過領域変更手段を備えた表示部と、
上記請求項１０〜１５のいずれかの項に記載の表示制御装置とを含んで構成されている
ことを特徴とする表示装置。
【発明の詳細な説明】
【技術分野】
【０００１】
本発明は表示制御装置、及び表示装置に関し、より詳細には、複数の視方向に対する個
別の映像を同一画面上に表示可能な表示部に対する表示制御を実施するための表示制御装
置、及び該表示制御装置を備えた表示装置に関する。
【背景技術】
【０００２】
近年、車両に搭載される表示装置において、運転者に対する表示内容と、運転者以外の
乗員に対する表示内容とを異なるものにする技術について種々提案されている。例えば、
、下記の特許文献１には、図２１に示したように、透明カバー５１の両面に遮光帯５２、
５３を設け、運転席用映像を表示する帯状部群５４から出射された光は運転者ＤＲの目に
は入るが、助手席用映像を表示する帯状部群５５から出射された光は運転者ＤＲの目には
入らないようにし、他方、助手席用映像を表示する帯状部群５５から出射された光は助手
席乗員ＰＡの目には入るが、運転席用映像を表示する帯状部群５４から出射された光は助
手席乗員ＰＡの目には入らないようにした技術について開示されている。
【０００３】
このような技術を採用することによって、図２２に示したように、ナビゲーション装置
による地図映像５７は、運転者ＤＲからのみ見えるように（助手席乗員ＰＡからは見えな
いように）表示装置５６に表示され、ＤＶＤ映像５８は助手席乗員ＰＡからのみ見えるよ
うに（運転者ＤＲからは見えないように）表示装置５６に表示させることができる。これ
によって、車両走行中であっても、助手席乗員ＰＡはテレビや映画などを楽しむことがで
きる。
【０００４】
しかしながら、特許文献１記載の表示装置では、運転者ＤＲと助手席乗員ＰＡとの間、
例えば、後方中央座席乗員からは、図２３に示したような地図映像とＤＶＤ映像とが混ざ
り合った映像５９が見えることとなり、運転者ＤＲと助手席乗員ＰＡとの間に位置する人
に対しては、ＤＶＤ映像５８、あるいは地図映像５７などを単独で表示させることができ
ず、良好な表示映像を楽しむことができる座席位置（方向）が限られてしまうという課題
があった。
【０００５】
一方、下記の特許文献２には、図２４に示したように、液晶表示素子６１とパララック
スバリア（スリットアレイ）６２とを含んで構成され、液晶表示素子６１の各画素６１Ａ
〜６１Ｄに異なる画像信号が入力されると、４人の観察者Ａ〜Ｄがそれぞれ異なる平面画
像を観察できる画像表示装置が開示されている。このような画像表示装置の構成を特許文
献１記載の表示装置に適用することにより、上記課題、すなわち、映像を楽しむことがで
きる座席位置（方向）が限られてしまうといった課題については解決することが可能であ
る。
【０００６】
他方、１つの画面で、複数方向に対して異なる映像を映し出すことができるようになり
、異なる映像を楽しむことができる座席位置が増えた場合、各方向に対して表示する映像
の切替操作などが煩雑になる。
【０００７】
このことに関し、特許文献２記載の画像表示装置では、リモートコントロール装置から
の信号に基づいて、該リモートコントロール装置を操作している観察者の方向を検出し、
該観察者の見ている画像部分だけを目的の画像に選択することができるようになっている
。
【０００８】
しかしながら、特許文献２記載の画像表示装置においては、観察者Ｂ、Ｃ、Ｄが同じ画
像を見ようとした場合にも、観察者Ｂ、Ｃ、Ｄが、それぞれリモートコントロール装置で
同じ画像を選択する操作を行わなければならない。例えば、このような画像表示装置が車
両に搭載され、運転者ＤＲに対しては、ナビゲーション装置の地図映像を表示させる一方
、助手席乗員ＰＡや中央座席乗員に対しては、ＤＶＤ映像を表示させようとした場合、助
手席乗員ＰＡや中央座席乗員が個別にＤＶＤ映像への切替操作を行わなければならず、操
作が煩雑になってしまうという課題があった。
【０００９】
また、特許文献１記載の表示装置では、運転席用映像が表示される帯状部群５４（１つ
の画素列）と、助手席用映像が表示される帯状部群５５（１つの画素列）とが横方向に交
互になるように表示制御されるようになっており、また、特許文献２記載の画像表示装置
では、観察者Ａ〜Ｄが見る各画素６１Ａ〜６１Ｄが横方向に交互になるように表示制御さ
れるようになっている。
【００１０】
１つの画面で、複数の方向に対して異なる映像を表示させる場合、解像度が低くても支
障のない映像と、解像度が高い方が好ましい映像とを同時に表示させる場合も想定される
が、特許文献１、２記載の装置では、いずれの方向に映し出される映像も同じ解像度で表
示されるようになっているため、特定の映像の表示解像度を大きくしたりすることができ
ず、使用者にとってやや不満のある解像度でしか映像を表示させることができないという
課題もあった。
【特許文献１】特開２００３−１３７００５号公報
【特許文献２】特許第３５０３９２５号公報
【発明の開示】
【課題を解決するための手段及びその効果】
【００１１】
本発明は上記課題に鑑みなされたものであって、複数の視方向に対する個別の映像を同
一画面上に表示可能な表示部に対して、前記複数の視方向のうちの所定の方向に対する表
示映像を、使用者が所望する内容や状態に自動的に切り替える制御を実施することができ
、また、複数の視方向に対する個別の映像を同一画面上に表示可能な表示部に対して、前
記個別の映像のうちのいずれかの映像の視認性を向上させる制御を実施することができる
表示制御装置、及び表示装置を提供することを目的としている。
【００１２】
上記目的を達成するために本発明に係る表示制御装置（１）は、複数の視方向に対する
個別の映像を同一画面上に表示可能な表示部を制御するための表示制御装置であって、所
定の表示切替条件に基づいて、前記複数の視方向のうちの所定の方向に対する表示映像の
切替制御を行う表示制御手段を備えていることを特徴としている。
【００１３】
上記表示制御装置（１）によれば、前記表示切替条件に基づいて、前記所定の方向に対
する表示映像が切り替えられるので、使用者が所望する表示切替条件を予め設定しておく
ことにより、前記所定の方向に対する表示映像を、使用者が所望する状態に切り替えるこ
とができ、前記所定の方向に対する表示映像の切替操作の手間を省いたり、異なる方向に
映し出される各表示映像の視認性を高めたりする制御を実現することができる。
【００１４】
また本発明に係る表示制御装置（２）は、上記表示制御装置（１）において、前記複数
の視方向のうちのどの方向に対する表示映像の切替が行なわれたかを判断する切替方向判
断手段と、前記表示切替条件が前記切替方向判断手段により判断された切替方向と関係す
るものであるか否かを判断する切替条件判断手段とを備え、前記表示制御手段が、前記切
替条件判断手段により、前記表示切替条件が前記切替方向と関係するものであると判断さ
れた場合、前記所定の方向に対する表示映像を前記切替方向と同じ表示映像に切り替える
制御を行うものであることを特徴としている。
【００１５】
上記表示制御装置（２）によれば、前記表示切替条件が前記切替方向と関係するもので
あると判断された場合には、前記所定の方向に対する表示映像を前記切替方向と同じ表示
映像に切り替える制御が行われるので、前記所定の方向に対しては、前記切替方向と同じ
表示映像を常に表示させることができる。したがって、前記所定の方向に対しては、使用
者の切替操作の手間を省くことができる。
【００１６】
また本発明に係る表示制御装置（３）は、上記表示制御装置（１）又は（２）において
、前記表示部には、１つの画面で、第１の方向と、第２の方向と、第３の方向とに対して
、異なる映像を映し出すための分離表示手段が装備され、前記表示制御手段が、前記表示
切替条件に基づいて、前記第２及び／又は第３の方向に対する表示映像の切替制御を行う
ものであることを特徴としている。
【００１７】
上記表示制御装置（３）によれば、前記表示部には、１つの画面で、第１の方向（例え
ば、運転者の存在する方向）と、第２の方向（例えば、助手席乗員が存在する方向）と、
第３の方向（例えば、中央座席乗員が存在する方向）とに対して、異なる映像を映し出す
ための分離表示手段が装備され、前記表示制御手段により、前記表示切替条件に基づいて
、前記第２及び／又は第３の方向に対する表示映像の切替制御が行われるので、前記第２
及び／又は第３の方向に対する表示映像を、使用者が所望する状態に切り替えることがで
き、前記第２及び／又は第３の方向に対する表示映像の切替操作の手間を省いたり、異な
る方向に映し出される各表示映像の視認性を高めたりする制御を実現することができる。
【００１８】
また本発明に係る表示制御装置（４）は、上記表示制御装置（３）において、前記表示
切替条件が、前記第２及び／又は第３の方向に対する表示映像を、前記第１の方向に対す
る表示映像と同じ映像に切り替えるという条件であることを特徴としている。
【００１９】
上記表示制御装置（４）によれば、前記表示切替条件が、前記第２及び／又は第３の方
向に対する表示映像を、前記第１の方向に対する表示映像と同じ映像に切り替えるという
条件であるので、前記第１の方向（例えば、運転者の存在する方向）に対する表示映像が
切り替えられた場合、前記第１の方向に対する表示映像の切替に連動させて、前記第３の
方向（例えば、中央座席乗員の存在する方向）に対する表示映像も切り替えられることと
なり、前記第３の方向に存在する者は、切替操作を行うことなく、前記第１の方向に存在
する者と常に同じ映像を楽しむことができる。
【００２０】
また本発明に係る表示制御装置（５）は、上記表示制御装置（３）において、前記表示
切替条件が、前記第３の方向に対する表示映像を、前記第２の方向に対する表示映像と同
じ映像に切り替えるという条件であることを特徴としている。
【００２１】
上記表示制御装置（５）によれば、前記表示切替条件が、前記第３の方向に対する表示
映像を、前記第２の方向に対する表示映像と同じ映像に切り替えるという条件であるので
、前記第２の方向（例えば、助手席乗員の存在する方向）に対する表示映像が切り替えら
れた場合、前記第２の方向に対する表示映像の切替に連動させて、前記第３の方向（例え
ば、中央座席乗員の存在する方向）に対する表示映像も切り替えられることとなり、前記
第３の方向に存在する者は、切替操作を行うことなく、前記第２の方向に存在する者と常
に同じ映像を楽しむことができる。
【００２２】
また本発明に係る表示制御装置（６）は、上記表示制御装置（３）において、前記表示
切替条件が、前記第２又は第３の方向に対する表示映像を出力しないという条件であるこ
とを特徴としている。
【００２３】
上記表示制御装置（６）によれば、前記表示切替条件が、前記第２及び／又は第３の方
向に対する表示映像を出力しないという条件であるので、例えば、前記第３の方向（例え
ば、中央座席乗員の存在する方向）に対する表示映像を出力しないという条件の場合には
、前記第１の方向（例えば、運転者の存在する方向）に対する表示映像と、前記第２の方
向（例えば、助手席乗員の存在する方向）に対する表示映像とが、混じり合って映像が見
ずらくなるという影響（クロストークの影響）を小さくすることができ、前記第１の方向
に存在する者と、前記第２の方向に存在する者とに対して、より鮮明な映像を視認させる
ことができ、２方向に異なる映像を表示させる場合における視認性を高めることができる
。また、前記第２の方向（例えば、助手席乗員の存在する方向）に対する表示映像を出力
しないという条件の場合には、夜間等において、前記第２の方向に対する表示映像が、窓
に反射して運転者が眩惑されるような状態になることを防止することができる。
【００２４】
また本発明に係る表示制御装置（７）は、上記表示制御装置（３）において、前記表示
切替条件が、前記第３の方向に対する表示映像には、該第３の方向用に設定された映像を
表示するという条件であることを特徴としている。
【００２５】
上記表示制御装置（７）によれば、前記表示切替条件が、前記第３の方向に対する表示
映像には、該第３の方向用に設定された映像を表示するという条件であるので、前記第３
の方向に存在する者は、前記第１又は第２の方向に対する表示映像の切替等が行われた場
合であっても、前記第３の方向用の映像を常に楽しむことができる。
【００２６】
また本発明に係る表示制御装置（８）は、上記表示制御装置（１）〜（３）のいずれか
において、前記表示切替条件を設定するための表示切替条件設定手段を備えていることを
特徴としている。
【００２７】
上記表示制御装置（８）によれば、前記表示切替条件を設定するための表示切替条件設
定手段を備えているので、前記表示切替条件を状況等に応じて適宜設定することができ、
前記所定の方向に対する表示映像を、使用者が所望する状態に切り替えることができる。
【００２８】
また本発明に係る表示装置（１）は、複数の視方向に対する個別の映像を同一画面上に
表示可能な表示部と、上記表示制御装置（１）〜（８）のいずれかとを含んで構成されて
いることを特徴としている。
【００２９】
上記表示装置（１）によれば、複数の視方向に対する個別の映像を同一画面上に表示可
能な表示部に対して、上記表示制御装置（１）〜（８）の各制御を実現することができ、
上記表示制御装置（１）〜（８）のそれぞれの効果を得ることができる表示装置とするこ
とができる。
【００３０】
また本発明に係る表示制御装置（９）は、複数の視方向に対する個別の映像を同一画面
上に表示可能な表示部を制御するための表示制御装置であって、前記表示部には、各視方
向に対する光の透過領域を変更するための光透過領域変更手段が装備され、該光透過領域
変更手段による各視方向に対する光の透過領域の変更と、前記各視方向に表示させる映像
の表示解像度とを対応させて制御する表示制御手段を備えていることを特徴としている。
【００３１】
上記表示制御装置（９）によれば、前記光透過領域変更手段による各視方向に対する光
の透過領域の変更と、前記各視方向に表示させる映像の表示解像度とを対応させて表示制
御が行われるので、例えば、前記光透過領域変更手段による各視方向に対する光の透過領
域の変更に対応させて、前記各視方向に表示させる映像の表示解像度を調整して表示する
制御を行うことができ、前記各映像の視認領域の変更に対応させて、表示解像度を上げた
映像を表示させることができ、該映像の視認性を向上させることができる。または、前記
各視方向に表示させる映像の表示解像度の変更に対応させて、前記光透過領域変更手段に
よる各視方向に対する光の透過領域を変更して表示する制御を行うことができ、前記映像
の表示解像度の変更に対応させて、各映像の視認領域を広げたり、狭めることができ、所
定の映像の視認性を向上させることができる。
【００３２】
また本発明に係る表示制御装置（１０）は、上記表示制御装置（９）において、前記表
示部に映し出される映像数の変化を検出する映像数検出手段を備え、前記表示制御手段が
、前記映像数検出手段により検出された映像数に基づいて、前記光透過領域変更手段によ
る前記各視方向に対する光の透過領域の変更と、前記各視方向に表示させる映像の表示解
像度とを対応させて制御するものであることを特徴としている。
【００３３】
上記表示制御装置（１０）によれば、前記映像数検出手段により検出された映像数に基
づいて、前記光透過領域変更手段による前記各視方向に対する光の透過領域の変更と、前
記各視方向に表示させる映像の表示解像度とを対応させて表示制御が行われるので、前記
表示部に映し出される映像数に応じて、前記各視方向に対する光の透過領域の変更を行う
ことができる。例えば、前記表示部に映し出される映像数が１つの場合は、視野領域を１
つ、すなわち、分離表示しないように前記光透過領域変更手段による光の透過領域を変更
する。また、前記表示部に映し出される映像数が２つの場合には、視野領域を２つに分離
するように前記光透過領域変更手段による光の透過領域を変更する。さらに、前記表示部
に映し出される映像数が３つ以上の場合には、視野領域を３つ以上に分離するように前記
光透過領域変更手段による光の透過領域を変更することができる。そして、前記光透過領
域変更手段による光の透過領域の変更に対応させて、表示映像の表示解像度を調整する制
御が行われるので、前記表示部に映し出される映像数を少なくするほど、該映像の表示解
像度を上げることができ、視認性を向上させることができる。
【００３４】
また本発明に係る表示制御装置（１１）は、上記表示制御装置（９）において、前記表
示部に映し出される映像の種別を判別する映像種別判別手段を備え、前記表示制御手段が
、前記映像種別判別手段により判別された映像種別に基づいて、前記光透過領域変更手段
による前記各視方向に対する光の透過領域の変更と、前記各視方向に表示させる映像の表
示解像度とを対応させて制御するものであることを特徴としている。
【００３５】
上記表示制御装置（１１）によれば、前記表示部に映し出される映像の種別に応じて、
前記各視方向に対する光の透過領域と、前記各視方向に表示させる映像の表示解像度とを
対応させて制御することができ、例えば、映像の種別（映像ソース）に対応させた光の透
過領域の変更パターンなどを予め記憶させておき、各映像の種別を判別し、判別した各映
像の種別に応じて光の透過領域を変更する制御（例えば、予め設定された優先順位の高い
映像の視認領域を広げる制御など）を実現することができる。また、光の透過領域の変更
に対応させて、映像の表示解像度の調整も行われるので、例えば、光の透過領域を広げた
映像の表示解像度を上げることができ、映像の視認性も向上させることができる。
【００３６】
また本発明に係る表示制御装置（１２）は、上記表示制御装置（９）において、前記表
示部に映し出された、いずれかの映像に対する視認領域の変更操作を検出する視認領域変
更操作検出手段を備え、前記表示制御手段が、前記視認領域変更操作検出手段により検出
された前記視認領域の変更操作に基づいて、前記光透過領域変更手段による前記各視方向
に対する光の透過領域の変更と、前記各視方向に表示させる映像の表示解像度とを対応さ
せて制御するものであることを特徴としている。
【００３７】
上記表示制御装置（１２）によれば、前記表示部に映し出された、いずれかの映像に対
する視認領域の変更操作に応じて、前記各視方向に対する光の透過領域の変更と、前記各
視方向に表示させる映像の表示解像度とを対応させて制御することができる。例えば、視
認領域の変更操作が検出されたときの光の透過領域の変更パターンを予め記憶させておき
、視認領域の変更操作に対応させて、光の透過領域を変更する制御（例えば、視認領域の
変更操作が検出された映像の視認領域を広げる制御など）を実現することができる。また
、前記光の透過領域の変更に対応させて、映像の表示解像度の調整も行われるので、例え
ば、視認領域を広げた映像の表示解像度を上げることができ、映像の視認性も向上させる
ことができる。
【００３８】
また本発明に係る表示制御装置（１３）は、上記表示制御装置（９）において、前記表
示部に映し出された、いずれかの映像に対する操作を検出する操作検出手段を備え、前記
表示制御手段が、前記操作検出手段により検出された操作に基づいて、前記光透過領域変
更手段による前記各視方向に対する光の透過領域の変更と、前記各視方向に表示させる映
像の表示解像度とを対応させて制御するものであることを特徴としている。
【００３９】
上記表示制御装置（１３）によれば、前記表示部に映し出された、いずれかの映像に対
する操作に応じて、前記光透過領域変更手段による前記各視方向に対する光の透過領域の
変更と、前記各視方向に表示させる映像の表示解像度とを対応させて制御することができ
る。例えば、映像に対する操作が検出されたときの前記光の透過領域の変更パターンを予
め記憶させておき、映像に対する操作に対応させて、前記光の透過領域を変更する制御（
例えば、映像に対する何らかの操作が検出された方の映像の視認領域を広げる制御など）
を実現することができる。また、前記光透過領域変更手段による前記光の透過領域の変更
に対応させて、映像の表示解像度の調整も行われるので、例えば、前記操作が検出された
映像の視野領域が広げられるとともに表示解像度も上げることができ、視認性や操作性を
向上させることができる。
【００４０】
また本発明に係る表示制御装置（１４）は、上記表示制御装置（９）〜（１３）におい
て、前記光透過領域変更手段が、液晶シャッターから構成され、該液晶シャッターの遮光
パターンが記憶された遮光パターン記憶手段を備え、前記表示制御手段が、前記遮光パタ
ーン記憶手段から光の透過領域の変更条件に対応した遮光パターンを読み出し、該遮光パ
ターンに基づいて前記液晶シャッターの制御を行うものであることを特徴としている。
【００４１】
上記表示制御装置（１４）によれば、前記表示制御手段が、前記遮光パターン記憶手段
から光の透過領域の変更条件に対応した遮光パターンを読み出し、該遮光パターンに基づ
いて前記液晶シャッターの制御を行うものであるので、前記液晶シャッターを制御するこ
とにより、前記各映像に対する光の透過領域を所定のパターンに自在に変更させることが
でき、多様な映像表示を実現することができる。
【００４２】
また本発明に係る表示装置（２）は、複数の視方向に対する個別の映像を同一画面上に
表示可能に構成され、各視方向に対する光の透過領域を変更するための光透過領域変更手
段を備えた表示部と、上記表示制御装置（９）〜（１４）にいずれかとを含んで構成され
ていることを特徴としている。
【００４３】
上記表示装置（２）によれば、複数の視方向に対する個別の映像を同一画面上に表示可
能に構成され、各視方向に対する光の透過領域を変更するための光透過領域変更手段を備
えた表示部に対して、上記表示制御装置（９）〜（１４）の各制御を実現することができ
、上記表示制御装置（９）〜（１４）の各効果を得ることができる表示装置とすることが
できる。
【発明を実施するための最良の形態】
【００４４】
以下、本発明に係る表示制御装置及び表示装置の実施の形態を図面に基づいて説明する
。まず、図１〜図８に基づいて、本発明に係る表示制御装置及び表示装置が備えている、
複数の視方向に対する個別の映像を同一画面上に表示させる機能について詳細に説明する
。なお、ここでは２方向（左右方向）に対して個別の映像を同一画面上に表示させる機能
について説明するが、当該表示機能は、２方向のみの表示に限定される機能ではなく、３
方向以上に対して個別の映像を表示させる構成とすることも可能である。
【００４５】
図１は、本発明に係る表示装置が備えている機能を概念的に示した図である。第１の画
像ソース１０１から出力された第１の画像データＤ１と、第２の画像ソース１０２から出
力された第２の画像データＤ２とが表示制御部１０３に入力され、表示制御部１０３で処
理された表示データＤ３が表示部１０４に出力されるように構成されている。
【００４６】
本発明に係る表示装置では、表示部１０４に対して左側に位置する視聴者Ｌの方向には
、第１の画像データＤ１に基づく第１の表示画像１０５が視認可能に表示され、表示部１
０４に対して右側に位置する視聴者Ｒの方向には、第２の画像データＤ２に基づく第２の
表示画像１０６が視認可能に表示されるようになっている。
【００４７】
このように本発明に係る表示装置では、表示部１０４に対する視聴者の相対位置に応じ
て、換言すれば表示部１０４に対する視野角に応じて、視聴者Ｌに第１の表示画像１０５
を、視聴者Ｒに第２の表示画像１０６を同時に見せることができ、しかも各々の表示画像
１０５、１０６は表示部１０４の表示画面全体に映し出されるようになっている。
【００４８】
第１の画像ソース１０１は、例えばＤＶＤプレーヤからの映画画像やテレビ受信機から
の受信画像等としたり、第２の画像ソース１０２は、例えばカーナビゲーション装置から
の地図やルート案内画像等とすることができ、このような第１の画像データＤ１及び第２
の画像データＤ２が表示制御部１０３に供給され、表示制御部１０３では、それら画像デ
ータを表示部１０４で実質的に同時に表示するための処理が行われるようになっている。
斯る構成により、１つの画面で左右の視聴者Ｌ、Ｒに異なる情報やコンテンツを提示する
ことができる。もちろん、第１、第２の画像ソース１０１、１０２が同じであれば、左右
の視聴者Ｌ、Ｒが同じ画像を見ることもできる。
【００４９】
図２は、本発明に係る表示装置が車両へ搭載された状態を示した斜視図である。表示装
置を構成する表示部１０４は、運転席１０７及び助手席１０８の前方のダッシュボードの
略中央に配設されており、表示装置に対する各種操作は、表示部１０４の液晶パネル１１
０上に配設されたタッチパネル１１１や表示部１０４の液晶パネル１１０の枠部に配設さ
れた操作部１１２、又は赤外線や無線式のリモートコントローラ（図示せず）等の操作に
よって行われるようになっている。また車両の各ドアには表示装置に接続されたスピーカ
１１３が配設されており、表示画像に連動した音声や警告音等が出力されるようになって
いる。
【００５０】
図２における運転席１０７に図１に示した視聴者Ｒが座り、助手席１０８に図１に示し
た視聴者Ｌが座ると想定した場合、表示部１０４に対する第１の視方向（運転席方向）か
ら見ることができる画像は、例えばカーナビゲーション装置からの地図等の画像であり、
同時に第２の視方向（助手席方向）から見ることができる画像は、例えばテレビ受信画像
やＤＶＤ画像等とすることができ、運転席１０７の視聴者Ｒがカーナビゲーションによる
運転支援を受けながら助手席１０８の視聴者ＬはテレビやＤＶＤを楽しむことができる。
【００５１】
しかもそれぞれの画像は、例えば７インチの画面全体を使用して表示されるため、従来
のマルチウインドウ表示のように画面サイズが小さくなることもない。つまり、運転者（
視聴者Ｒ）や同乗者（視聴者Ｌ）にとっては、あたかも各々に独立した専用のディスプレ
イがあるかのごとく、各視聴者Ｌ、Ｒが所望する情報やコンテンツの提示が可能となって
いる。
【００５２】
次に、本発明に係る表示装置の表示部１０４の構成について詳細に説明する。図３（ａ
）は、本発明に係る表示装置の表示部１０４を正面から見たときの表示状態を模式的に示
した図であり、（ｂ）は、（ａ）におけるＢ−Ｂ線断面図である。
【００５３】
表示部１０４は、液晶パネル１１０とバックライト１２０とを含んで構成されており、
液晶パネル１１０は、ＴＦＴ（Thin Film Transistor）基板１２１とカラーフィルター基
板１２２との間に液晶層１２３が挟持された一対の基板と、視差バリア１２４と、ガラス
基板１２５とが、バックライト１２０側に配設された偏光板１２６と、発光方向側の前面
に配設された偏光板１２７との間に挟持された構造となっている。また、液晶パネル１１
０は、バックライト１２０から少し隔離して配設されており、ＲＧＢ色（三原色）で構成
される画素を有している。
【００５４】
液晶パネル１１０には、例えば、横方向が８００画素、縦方向が４８０画素の液晶パネ
ルが採用され、液晶パネル１１０の各画素は、左側（助手席１０８）用画素ＬＰと、右側
（運転席１０７）用画素ＲＰとに縦方向に交互にグループ化されて表示制御されるように
なっている。すなわち、液晶パネル１１０の横方向の総画素の半数が第１の表示画像１０
５の表示に、残りの半数の画素が第２の表示画像１０６の表示に使用されるようになって
いる。
【００５５】
視差バリア１２４は、横方向に所定の間隔（各画素からの光の出射方向を右左のいずれ
か一方に規制することができる間隔）毎に設けられ、縦縞様に形成されている。視差バリ
ア１２４によって、左側（助手席）用画素ＬPは右側（運転席）への表示が遮断され、左
側（助手席）からは見えるようになっている一方、右側（運転席）用の画素ＲPは左側（
助手席）への表示が遮断され、右側（運転席）からは見えるようになっている。すなわち
、左側から液晶パネル１１０を見ると、視差バリア１２４が右側用画素ＲPを覆い隠し、左側用画素ＬPが見える一方、右側から液晶パネル１１０を見ると、視差バリア１２４が左側用画素ＬPを覆い隠し、右側用画素ＲPが見える。なお、この場合、正面付近から液晶パネル１１０を見ると、左側用画素ＬPの一部と右側用画素ＲPの一部とが見えるため、左右の表示画像が重なったように見える。このような視差バリア１２４については、例えば、特開平１０−１２３４６１号公報、特開平１１−８４１３１号公報に開示された構成を応用することができる。
【００５６】
なお、液晶パネル１１０の各画素に対する表示制御と視差バリア１２４の配置構成とを
変更すれば、３方向以上に異なる画像を表示することも可能である。また、視差バリア１
２４を電気的に駆動可能な液晶シャッター等で構成して視野角を可変するようにしてもよ
い。
【００５７】
また、図３の交互に並んだ左側用画素ＬP及び右側用画素ＲPはＲＧＢ色を有しているが、各グループ縦方向内は、Ｒ列、Ｇ列、Ｂ列のように単色で構成されていてもよく、ま
たＲＧＢが複数混じった列として構成されていてもよい。
【００５８】
図４は、表示部１０７を構成するＴＦＴ基板１２１の概略構成を示す回路図である。Ｔ
ＦＴ基板１２１は、走査線駆動回路１３１と、データ線駆動回路１３２と、走査線駆動回
路１３１に接続された走査線ＬSCAN１、２、３、…と、データ線駆動回路１３２に接続されたデータ線ＬDATA１、２、３、…と、各走査線ＬSCAN１、２、３、…、及びデータ線ＬDATA１、２、３、…によって囲まれた領域を一単位として形成された複数のサブピクセル１３３とを含んで構成されており、各サブピクセル１３３には、液晶層１２３に電圧を印
加する画素電極１３４とそれをスイッチング制御するＴＦＴ素子１３５とが形成されてい
る。
【００５９】
走査線駆動回路１３１及びデータ線駆動回路１３２には、液晶パネル１１０を駆動させ
る、後述する表示パネル駆動部２３４が接続されており、表示パネル駆動部２３４は、走
査線駆動回路１３１及びデータ線駆動回路１３２の駆動タイミングを制御する。走査線駆
動回路１３１は、ＴＦＴ素子１３５の選択走査を行い、またデータ線駆動回路１３２は画
素電極１３４への印加電圧を制御するように構成されている。
【００６０】
各サブピクセル１３３は、第１の画像データＤ１と第２の画像データＤ２との合成デー
タ、又は第１及び第２の個々の画像データＤ１、Ｄ２に基づいて、例えばデータ線ＬDATA
１、３に第１の画素データ（左側用）を、またデータ線ＬDATA２、４に第２の画素データ（右側用）を駆動することによって、第１の表示画像１０５を形成する第１の画像データ
Ｄ１群と第２の表示画像１０６を形成する第２の画像データＤ２群とが形成されるように
なっている。なお、３方向に異なる画像を表示させる場合には、上記と同様な駆動制御に
より、第１、第２、第３の画像データ群を形成させるようにすればよい。
【００６１】
図５は、本発明に係る表示装置が採用されたＡＶ（Audio Visual）ナビゲーションシス
テムの要部を概略的に示したブロック図である。但し、図１〜４で説明した各部と同一機
能を有する構成部品には、同一符号を付すこととする。
【００６２】
ＡＶナビゲーションシステムは、ＣＤ／ＭＤ再生部２０１、ラジオ受信部２０２、ＴＶ
受信部２０３、ＤＶＤ再生部２０４、ＨＤ（ハードディスク）再生部２０５、及びナビゲ
ーション部２０６を含む各種ソースを備えており、これら各種ソースは、信号ラインＳＬ
201〜ＳＬ206を介して分配回路２１２にそれぞれ接続されている。また、外部音声／映像入力部２０７が信号ラインＳＬ207を介して分配回路２１２に接続されている。外部音声／映像入力部２０７には、カメラ（例えば、後方監視用カメラ）２０８が接続されているが、ビデオカメラやゲーム機（図示せず）等も接続可能となっている。また、ＴＶ受信部２０３には、セレクタ２０９が接続され、ナビゲーション部２０６には、ＶＩＣＳ情報受信部２１０とＧＰＳ情報受信部２１１とが接続されている。
【００６３】
分配回路２１２は、信号ラインＳＬ213〜ＳＬ215を介して音声調整回路２１３と、第１の画像調整回路２１４と、第２の画像調整回路２１５とにそれぞれ接続され、音声調整回路２１３はスピーカ１１３に、第１の画像調整回路２１４及び第２の画像調整回路２１５は、信号ラインＳＬ216、ＳＬ217を介して画像出力部２１６に接続され、画像出力部２１６は、信号ラインＳＬ218を介して表示部１０４の液晶パネル１１０に、信号ラインＳＬ219を介してリア表示部２１７にそれぞれ接続されている。
【００６４】
なお、リア表示部２１７は、車両の後席用に設けられたものであり、画像出力部２１６
を介して表示部１０４に表示される画像と同じもの、もしくは運転席用の画像か助手席用
の画像の一方を表示させることができるようになっている。表示部１０４は、バックライ
ト１２０、液晶パネル１１０、及びタッチパネル１１１を含んで構成され、タッチパネル
１１１への操作信号が制御部２００に入力されるようになっている。
【００６５】
また、明るさ検知手段（例えば、車両のライトスイッチや光センサ等）２１８、乗員検
知手段（例えば、圧力センサ等）２１９、無線通信機能を有する通信ユニット２２０、Ｅ
ＴＣ車載器２２１、リモコン送受信部２２２、操作部２２３、及びメモリ２２４が制御部
２００に接続されている。
【００６６】
制御部２００は、制御ラインＣＬ201〜ＣＬ207、ＣＬ212〜ＣＬ216、ＣＬ120等を介して各種ソース２０１〜２０６、分配回路２１２、各種調整回路２１３〜２１５、画像出力部２１６、及び表示部１０４など、システム内の各部に接続されており、システムの各部を統括的に制御するように構成されている。
【００６７】
図６は、画像出力部２１６の概略構成を示したブロック図である、画像出力部２１６は
、第１の画像調整回路２１４と接続された第１の書込回路２３１と、第２の画像調整回路
２１５と接続された第２の書込回路２３２と、ＶＲＡＭ２３３と、表示パネル駆動部２３
４とを含んで構成されている。
【００６８】
例えば、第１の書込回路２３１は、調整された画像データのうち画像の奇数列に対応す
る画像データを、第２の書込回路２３２は、偶数列に対応する画像データをもとにし、そ
れぞれＶＲＡＭ２３３における該当する領域に書き込む。表示パネル駆動部２３４は、液
晶パネル１１０を駆動させるための回路であり、ＶＲＡＭ２３３に保存されている画像デ
ータ（第１の画像データＤ１と第２の画像データＤ２の合成データ）に基づいて、液晶パ
ネル１１０の対応する画素を駆動させるようになっている。
【００６９】
なお、ＶＲＡＭ２３３には第１の画像データＤ１と第２の画像データＤ２の合成された
マルチビュー表示用の画像に対応するように画像データの書込が行われているので、駆動
回路は一つでよく、その動作も通常の液晶表示装置の駆動回路の動作と同じである。また
、別の形態として、第１の画像データＤ１と第２の画像データＤ２とを合成せずに、それ
ぞれの画像データに基づいて、液晶パネル１１０の対応する画素を駆動する第１の表示パ
ネル駆動部及び第２の表示パネル駆動部を備える構成とすることもできる。
【００７０】
図７は、メモリ２２４の概略構成を示したブロック図である。メモリ２２４は、ユーザ
が設定した第１の表示画像１０５及び第２の表示画像１０６の画質調整値をそれぞれ書き
込み可能な第１の画面ＲＡＭ２４１及び第２の画面ＲＡＭ２４２と、第１の表示画像１０
５及び第２の表示画像１０６の各画質調整用に予め複数段階の調整値が選択可能に記憶さ
れた画質設定情報記憶手段２４３と、周囲環境に対する第１の表示画像１０５及び第２の
表示画像１０６の画質の調整状態を保持する対環境調整値保持手段２４４とを含んで構成
されている。画質設定情報記憶手段２４３、及び対環境調整値保持手段２４４は、フラッ
シュメモリなどの電気的書き換え可能な不揮発性メモリ又はバッテリバックアップされた
揮発性メモリにより構成されている。
【００７１】
図８は、制御部２００の概略構成を示したブロック図である。制御部２００は、システ
ム内の各部と接続されたインターフェース２５１と、システム内の各部を統括的に制御す
るＣＰＵ２５２と、システムの動作に必要な各種のプログラムが記憶されたプログラム記
憶部（ＲＯＭ）２５３と、各種のデータを記憶するデータ記憶部（ＲＡＭ）２５４とを含
んで構成されている。なお、ＲＯＭ２５３とＲＡＭ２５４は、ＣＰＵ２５２に内蔵された
ものでも、外部に設けたものでもよく、ＲＯＭ２５３はフラッシュメモリの様に電気的に
書き換え可能な不揮発性メモリでもよい。
【００７２】
制御部２００は、タッチパネル１１１、操作部２２３、又はリモコン２２５等からの操
作信号に基づいて、各種ソース２０１〜２０６及び分配回路２１２を制御するように構成
され、選択された２つのソース又は１つのソースの画像データや音声データの出力を制御
し、選択されたソースの画像データや音声データを、分配回路２１２を介して、画像デー
タであれば第１の画像調整回路２１４及び第２の画像調整回路２１５に、音声データであ
れば音声調整回路２１３にそれぞれ分配させる制御を行うようになっている。第１及び第
２の画像調整回路２１４、２１５では、制御部２００からの制御信号に基づいて画像デー
タの輝度や色調、コントラストなどが調整され、調整された画像データは画像出力部２１
６に出力され、画像出力部２１６では、制御部２００からの制御信号に基づいて、液晶パ
ネル１１０を駆動させて画像を表示する処理が行われるようになっている。また、音声調
整回路２１３では、制御部２００からの制御信号に基づいて各スピーカへの分配、音量、
音声などが調整され、調整された音声がスピーカから出力されるようになっている。また
、制御部２００は、これら各種ソースをコントロールするための操作メニューを表示させ
る制御も行っている。
【００７３】
例えばＨＤ再生部２０５が選択された場合、ハードディスク（図示せず）に記録された
ＭＰ３ファイル等の音楽データやＪＰＥＧファイル等の画像データ、ナビゲーション用の
地図データ等が読み出され、音楽データ等を選択するためのメニュー表示や画像データが
表示部１０４に表示されるようになっている。なお、ナビゲーション部２０６は、ナビゲ
ーションのために利用される地図情報を記憶した地図情報記憶部（上記ハードディスクの
一部領域を使用）を備えており、ＶＩＣＳ情報受信部２１０やＧＰＳ情報受信部２１１を
介して取得した情報を利用して生成されたナビゲーション画像も表示部１０４に表示させ
ることができるようになっている。またＴＶ受信部２０３は、セレクタ２０９で選択され
たアンテナ２２６を介して、所望のアナログＴＶ放送波やディジタルＴＶ放送波を受信す
るように構成されている。
【００７４】
また、制御部２００は、明るさ検知手段２１８や乗員検知手段２１９により検知された
情報を元に、出力画像や音声の設定を変更する制御等を行うようになっている。また、通
信ユニット２２０とＥＴＣ車載器２２１とが制御部２００に接続されており、制御部２０
０は、ＥＴＣ車載器２２１からの料金情報等を表示部１０４に表示させる制御を行ったり
、携帯電話などと無線接続するための通信ユニット２２０を制御して、該制御に関する情
報を表示部１０４に表示させる制御等を行うようになっている。また、制御部２００は、
画質設定情報やプログラム、車両情報等の各種設定情報をメモリ２２４に記憶させる処理
も行うようになっている。
【００７５】
図９は、実施の形態（１）に係る表示制御装置が採用された表示装置を含んで構成され
るＡＶ（Audio Visual）・ナビゲーションシステムの要部を概略的に示したブロック図で
あり、ＡＶ（Audio Visual）・ナビゲーションシステムに採用された表示装置は、上記図
１〜図８に基づいて説明したものと同様に、複数の視方向に対する個別の映像を同一画面
上に表示させる機能を有するものである。なお、本発明における映像とは、静止画像及び
動画像を含むものである。
【００７６】
図中１は、車両のインストルメントパネル中央部に搭載される表示装置を示しており、
表示装置１には、制御信号ラインＬ１、映像信号ラインＬ２を介して、同じ車両に搭載さ
れる各種電子機器（例えば、ナビゲーション装置２１、ＤＶＤ再生装置２２、ＴＶ受信機
２３など）が接続されるようになっている。
【００７７】
ナビゲーション装置２１は、図示しない地図データベース、ＧＰＳ受信機などを含んで
構成されており、これら地図データベース、ＧＰＳ受信機などを使用して車両の現在位置
を検出し、車両の現在位置周辺の地図映像などの映像信号を出力するようになっている。
また、ナビゲーション装置２１には、図示しないオーディオ装置が接続されており、該オ
ーディオ装置における、例えばＣＤ再生画面や選曲画面などのオーディオ用画面を示す映
像信号も出力するようになっている。
【００７８】
ＤＶＤ再生装置２２は、図示しないＤＶＤの読取装置などを含んで構成され、読み取ら
れたＤＶＤ映像信号を出力するようになっている。またＴＶ受信機２３は、図示しないチ
ューナなどを含んで構成され、受信したＴＶ放送の映像信号を出力するようになっている
。
【００７９】
表示装置１は、マイクロコンピュータを含んで構成される制御部２と、上記の各種電子
機器から映像信号ラインＬ２を介して入力した映像信号を、制御部２からの制御信号に基
づいて表示用の映像データに合成する処理などを行う映像処理部３と、映像処理部３で合
成処理された映像データを一時的に記憶するビデオメモリ（ＶＲＡＭ）４と、ＶＲＡＭ４
に記憶された映像データを液晶パネル６に表示させるためのパネル駆動部５と、液晶パネ
ル６と、液晶パネル６前面に配設され、３方向（運転席方向、中央座席方向、助手席方向
）に対する映像の分離表示を可能にする分離表示シャッター７と、上記の各種電子機器に
対する操作指令や液晶パネル６に映し出される映像の切替指令などを与えるための各種操
作スイッチを備えた操作部８とを含んで構成されている。
【００８０】
図１０は、液晶パネル６と分離表示シャッター７との構造を模式的に示した図（部分水
平断面図）であり、液晶パネル６前面に複数の開口部（スリット）７ａが配列された分離
表示シャッター７を配置することで、スリット７ａを通して視認できる画素列６ａ〜６ｃ
が見る方向（Ａ〜Ｃ）によって切り替わるように構成されている。本実施の形態（１）で
は、分離表示シャッター７には、液晶パネル６上の画素列６ａ〜６ｃの３列に対して１つ
の割合でスリット７ａが設けられており、それぞれの画素列６ａ〜６ｃに異なる映像信号
（すなわち、画素列６ａに運転席用映像、画素列６ｂに中央座席用映像、画素列６ｃに助
手席用映像）を入力することにより、Ａ〜Ｃの方向ではスリット７ａを介して見える画素
、すなわち映像が異なることになり、Ａの方向に存在する運転者ＤＲには運転席用映像を
視認させ、Ｂの方向に存在する中央座席乗員ＲＥには中央座席用映像を視認させ、Ｃの方
向に存在する助手席乗員ＰＡには助手席用映像を視認させることができるようになってい
る。
【００８１】
また、表示装置１では、図示しない設定画面を通じて、画素列６ｂに入力する映像信号
（中央座席用映像）の表示切替条件が設定できるようになっており、例えば、条件ａ：運
転席用映像と連動させる（すなわち、運転座席用映像が切り替えられた場合、それに合わ
せて中央座席用映像も同じ映像に切り替える）、条件ｂ：助手席用映像と連動させる（す
なわち、助手席用映像が切り替えられた場合、それに合わせて中央座席用映像も同じ映像
に切り替える）、条件ｃ：画素列６ｂには映像を出力しない（あるいは、映像を出力しな
い代わりに黒画像を出力するようにしてもよい）、条件ｄ：中央座席用に設定された映像
を表示する、といった条件の中から使用者が所望する条件を選択して設定することができ
るようになっている。なお、上記した条件ｄにおける中央座席用の映像は、図示しない別
の設定画面を通じて、使用者が適宜選択設定できるようになっている。
【００８２】
制御部２では、操作部８からの表示映像の切替信号を検出すると、該切替信号を制御信
号ラインＬ１を介して各種電子機器へ送信し、各種電子機器では、前記切替信号に基づい
て、映像の切替や映像信号の出力制御などが実行されるようになっている。
【００８３】
また、制御部２では、前記切替信号が、Ａ〜Ｃの方向のうちのどの方向に対する表示映
像の切替であったかを判断し、使用者により設定された上記の表示切替条件が、前記判断
された切替方向と関係するものであるか否かを判断し、前記表示切替条件が前記切替方向
と関係するものであると判断された場合（すなわち、表示切替条件に条件ａが設定されて
いた場合に、Ａの方向（運転席方向）に対する表示映像の切替があった場合、又は表示切
替条件に条件ｂが設定されていた場合に、Ｃの方向（助手席方向）に対する表示映像の切
替があった場合）には、Ｂの方向（中央座席方向）に対する表示映像を前記切替方向（Ａ
の方向又はＣの方向）と同じ表示映像に切り替えるように映像処理部３、パネル駆動部５
の制御を行う。一方、前記表示切替条件が前記切替方向と関係するものではない（すなわ
ち、表示切替条件として上記の条件ｃ、ｄのいずれかが設定されていた）と判断された場
合には、前記表示切替条件に応じた表示を行うように映像処理部３、パネル駆動部５の制
御を行うようになっている。
【００８４】
また、ナビゲーション装置２１、ＤＶＤ再生装置２２、ＴＶ受信機２３から出力される
音声信号は、図示しないオーディオ装置に接続されたアンプ、スピーカを介して音声出力
されるようになっている。
【００８５】
次に実施の形態（１）に係る表示制御装置が採用された表示装置１における制御部２の
行う処理動作を図１１に示したフロ−チャ−トに基づいて説明する。なお本処理動作は、
運転者ＤＲには運転席用映像を視認させ、中央座席乗員ＲＥには中央座席用映像を視認さ
せ、助手席乗員ＰＡには助手席用映像を視認させるための分離表示が、操作部８を通じて
使用者から指示された場合に実行される。
【００８６】
まず、ステップＳ１では、分離表示を行う操作があったか否かを判断し、分離表示を行
う操作がなかったと判断すれば処理を終える一方、分離表示を行う操作があったと判断す
ればステップＳ２に進む。
【００８７】
ステップＳ２では、中央座席用映像の表示切替条件が何かを判断し、該表示切替条件が
、条件ａ（すなわち、運転席用映像に連動させる）であると判断すればステップＳ３に進
み、ステップＳ３では、中央座席用映像と運転席用映像とを同じ映像に切り替える処理、
例えば、運転席用映像がナビゲーション装置の地図映像であれば、中央座席用映像も地図
映像に切り替える処理（すなわち、図１０における画素列６ａ、６ｂに地図映像信号を入
力する処理）を行い、その後処理を終える。
【００８８】
また、ステップＳ２において、前記表示切替条件が、条件ｂ（すなわち、助手席用映像
に連動させる）であると判断すればステップＳ４に進み、ステップＳ４では、中央座席用
映像と助手席用映像とを同じ映像に切り替える処理、例えば、助手席用映像がＤＶＤ映像
であれば、中央座席用映像もＤＶＤ映像に切り替える処理（すなわち、図１０における画
素列６ｂ、６ｃにＤＶＤの映像信号を入力する処理）を行い、その後処理を終える。
【００８９】
また、ステップＳ２において、前記表示切替条件が、条件ｃ（すなわち、中央座席用映
像を表示しない）であると判断すればステップＳ５に進み、ステップＳ５では、中央座席
用映像を出力しない処理（すなわち、図１０における画素列６ｂには映像信号を入力しな
い処理）を行い、その後処理を終える。
【００９０】
また、ステップＳ２において、前記表示切替条件が、条件ｄ（すなわち、中央座席用映
像には、中央座席用に設定された映像を表示する）であると判断すればステップＳ６に進
み、ステップＳ６では、中央座席用映像として、中央座席用に設定された映像を表示させ
る、例えば、中央座席用の映像として予めＴＶ映像が設定されていれば、中央座席用映像
としてＴＶ映像を表示させる処理（すなわち、図１０における画素列６ｂにＴＶ映像信号
を入力する処理）を行い、その後処理を終える。
【００９１】
次に実施の形態（１）に係る表示制御装置が採用された表示装置１における制御部２の
行う別の処理動作を図１２に示したフロ−チャ−トに基づいて説明する。なお本処理動作
は、図１１に示した処理後（すなわち、分離表示されている場合）に実行される。
【００９２】
まず、ステップＳ１１では、運転席方向、中央座席方向、助手席方向のうちのどの方向
に対する表示映像の切替操作が行なわれたかを判断し、運転席方向に対する表示映像の切
替操作が行なわれたと判断すればステップＳ１２に進む。
【００９３】
ステップＳ１２では、中央座席用映像の表示切替条件が、上記した条件ａであるか否か
を判断し、前記表示切替条件が、条件ａであると判断すればステップＳ１３に進む。ステ
ップＳ１３では、中央座席用映像と運転席用映像とを同じ映像に切り替える処理を行い、
その後処理を終える。
【００９４】
一方ステップＳ１２において、前記表示切替条件が、条件ａではないと判断すればステ
ップＳ１４に進む。ステップＳ１４では、運転席用映像のみを切り替える処理を行い、そ
の後処理を終える。
【００９５】
また、ステップＳ１１において、助手席方向に対する表示映像の切替操作が行なわれた
と判断すればステップＳ１５に進む。ステップＳ１５では、前記表示切替条件が、上記し
た条件ｂであるか否かを判断し、前記表示切替条件が、条件ｂであると判断すればステッ
プＳ１６に進む。ステップＳ１６では、中央座席用映像と助手席用映像とを同じ映像に切
り替える処理を行い、その後処理を終える。
【００９６】
一方ステップＳ１５において、前記表示切替条件が、条件ｂではないと判断すればステ
ップＳ１７に進む。ステップＳ１７では、助手席用映像のみを切り替える処理を行い、そ
の後処理を終える。
【００９７】
上記実施の形態（１）に係る表示制御装置によれば、予め設定された中央座席用映像の
表示切替条件に基づいて、中央座席乗員ＲＥの存在する方向に対する表示映像の切替制御
が行われるので、中央座席乗員ＲＥの方向に対する表示映像を、使用者が所望する状態に
自動的に切り替えることができ、中央座席乗員ＲＥの方向に対する表示映像の切替操作の
手間を省いたり、異なる方向に映し出される各表示映像の視認性を高めたりする制御を実
現することができる。
【００９８】
また、中央座席用映像の表示切替条件として、中央座席乗員ＲＥの方向に対する表示映
像を、運転者ＤＲの存在する方向に対する表示映像と同じ映像に切り替えるという条件が
設定されている場合には、運転者ＤＲの方向に対する表示映像が切り替えられた場合、運
転者ＤＲの方向に対する表示映像の切替に連動させて、中央座席乗員ＲＥの方向に対する
表示映像も切り替えられることとなり、中央座席乗員ＲＥは、切替操作を行うことなく、
運転者ＤＲと常に同じ映像を楽しむことができる。
【００９９】
また、中央座席用映像の表示切替条件として、中央座席乗員ＲＥの方向に対する表示映
像を、助手席乗員ＰＡの方向に対する表示映像と同じ映像に切り替えるという条件が設定
されている場合には、助手席乗員ＰＡの方向に対する表示映像が切り替えられた場合、該
助手席乗員ＰＡの方向に対する表示映像の切替に連動させて、中央座席乗員ＲＥの方向に
対する表示映像も切り替えられることとなり、中央座席乗員ＲＥは、切替操作を行うこと
なく、助手席乗員ＰＡと常に同じ映像を楽しむことができる。
【０１００】
また、中央座席用映像の表示切替条件として、中央座席乗員ＲＥの方向に対する表示映
像を出力しないという条件が設定されている場合には、運転者ＤＲの方向に対する表示映
像と、助手席乗員ＰＡの方向に対する表示映像とが、混じり合って映像が見ずらくなると
いう影響（クロストークの影響）を小さくすることができ、運転者ＤＲと、助手席乗員Ｐ
Ａとに対して、より鮮明で良好な映像を視認させることができる。
【０１０１】
また、中央座席用映像の表示切替条件として、中央座席乗員ＲＥの方向に対する表示映
像には、中央座席用に設定された映像を表示するという条件が設定されている場合には、
中央座席乗員ＲＥは、運転者ＤＲ又は助手席乗員ＰＡの方向に対する表示映像の切替等が
行われた場合であっても、中央座席用に設定された映像を常に楽しむことができる。
【０１０２】
なお、実施の形態（１）では、表示切替条件として、中央座席用映像の切替条件が設定
されている場合について説明したが、別の実施の形態では、助手席用映像の切替条件、又
は中央座席用映像と助手席用映像との切替条件が設定できるようになっていてもよい。例
えば、助手席に乗員がいない場合には、助手席の方向には映像を出力しないという条件を
設定することができる。なお、助手席に乗員がいるか否かは、例えば、助手席に設けた着
座センサ等からの信号に基づいて判断することができる。
【０１０３】
かかる構成によれば、助手席乗員ＰＡの方向に対する表示映像を出力しないという条件
が設定されている場合には、夜間等において、助手席乗員用映像が、窓に反射して運転者
ＤＲが眩惑されるような状態になることを防止することができる。
【０１０４】
図１３は、実施の形態（２）に係る表示制御装置が採用された表示装置を含んで構成さ
れるＡＶ・ナビゲーションシステムの要部を概略的に示したブロック図である。但し、図
１に示したＡＶ・ナビゲーションシステムと同一機能を有する構成部品には同一符号を付
し、その説明をここでは省略する。
【０１０５】
図中１Ａは、車両のインストルメントパネル中央部に搭載される表示装置を示しており
、表示装置１Ａには、制御信号ラインＬ１、映像信号ラインＬ２を介して、同じ車両に搭
載される各種電子機器（例えば、ナビゲーション装置２１、ＤＶＤ再生装置２２、ＴＶ受
信機２３など）が接続されるようになっている。
【０１０６】
表示装置１Ａは、マイクロコンピュータを含んで構成される制御部２Ａと、映像処理部
３と、ＶＲＡＭ４と、パネル駆動部５と、液晶パネル６と、液晶パネル６に映し出される
各映像が単独で視認できる領域を変える、すなわち、各視方向に対する光の透過領域を変
更するための液晶シャッター（光透過領域変更手段）９と、液晶シャッター９の遮光パタ
ーン（シャッターパターン）に関するデータが記憶されたメモリ１０と、メモリ１０から
読み出されたシャッターパターンを示す画像データが一時的に記憶されるビデオメモリ（
ＶＲＡＭ）１１と、ＶＲＡＭ１１に記憶されたシャッターパターンを示す画像データを表
示させるように液晶シャッター９を駆動させるシャッター駆動部１２と、操作部８とを含
んで構成されている。
【０１０７】
図１４は、液晶パネル６と液晶シャッター９との構造を模式的に示した図（部分水平断
面図）である。液晶シャッター９は、液晶パネル６前面に配設されており、液晶シャッタ
ー９を構成する各液晶素子９ｂに電圧を印加する、しないの制御を行うことにより、各液
晶素子９ｂの光の透過状態を制御して、光を透過することのできるスリット９ａを任意の
位置に形成することができるようになっている。なお図１４には、Ａ〜Ｃの３方向（運転
席方向、中央座席方向、助手席方向）に対する分離表示が行われる場合のシャッターパタ
ーンの一例を示している。
【０１０８】
スリット９ａを形成するためのシャッターパターン（形状）に関するデータはメモリ１
０に予め記憶されており、制御部２Ａは、視認領域の変更指令に対応したシャッターパタ
ーンをメモリ１０から読み出し、読み出したシャッターパターンに基づいて液晶シャッタ
ー９の駆動制御を行うようになっている。このように液晶シャッター９が駆動制御される
ことによって、異なる方向に分離表示された映像の視認領域（見える割合）を変えること
が可能になっている。
【０１０９】
制御部２Ａが実施する液晶シャッター９の駆動制御は、例えば、１）液晶パネル６に映
し出される映像数に応じて実施させたり、２）液晶パネル６に映し出される映像の種別（
分離表示される映像の組み合わせ状態など）に応じて実施させたり、３）使用者による視
認領域の変更操作があった場合に実施させたり、又は４）使用者による映像に対する操作
（例えば、ナビゲーション装置の各種メニュー操作、ＤＶＤのチャプター選択操作など）
があった場合に実施させることができる。また、このような液晶シャッター９を駆動させ
る条件を、図示しない設定画面を通じて使用者が設定できる構成とすることもできる。
【０１１０】
また、制御部２Ａは、液晶シャッター９を駆動制御して、分離表示させた各映像の視認
領域の可変制御を行うとともに、該視認領域の可変制御に対応させて、各映像の表示解像
度の調整制御を実施したり、各映像の表示解像度の調整制御に対応させて、液晶シャッタ
ー９による視認領域の可変制御を実施するようになっている。
【０１１１】
図１５は、液晶パネル６に映し出される映像数に応じて実施される、制御部２Ａで行わ
れる液晶シャッター９の駆動制御と、液晶パネル６への映像出力制御とを説明するための
図である。
【０１１２】
図１５（ａ）は、運転者ＤＲ、中央座席乗員ＲＥ、及び助手席乗員ＰＡに対して地図映
像（ＮＡＶＩ）を表示している状態（分離表示を行っていない状態）を示している。この
場合、液晶シャッター９の全ての液晶素子９ｂが透過状態となるように制御され、一方、
液晶パネル６を構成する各画素列には、地図映像信号ＧNのみが入力されており、高精細な地図映像を映し出すことができるようになっている。
【０１１３】
図１５（ｂ）は、運転者ＤＲには、地図映像を視認させ、助手席乗員ＰＡには、ＤＶＤ
映像（ＤＶＤ）を視認させるための分離表示が行われている状態を示しており、液晶シャ
ッター９は、運転者ＤＲの方向と、助手席乗員ＰＡの方向とに分離表示するシャッターパ
ターンに制御され、一方、液晶パネル６を構成する各画素列には、地図映像信号ＧNとＤＶＤ映像信号ＧDとが交互に入力されるようになっている。
【０１１４】
また、図１５（ｃ）は、運転者ＤＲには、地図映像を視認させ、中央座席乗員ＲＥには
、ＴＶ映像（ＴＶ）を視認させ、助手席乗員ＰＡには、ＤＶＤ映像を視認させるための分
離表示が行われている状態を示しており、液晶シャッター９は、運転者ＤＲの方向と、中
央座席乗員ＲＥの方向と、助手席乗員ＰＡの方向とに分離表示するシャッターパターンに
制御され、一方、液晶パネル６を構成する各画素列には、地図映像信号ＧNとＴＶ映像信号ＧTと、ＤＶＤ映像信号ＧDとが交互に入力されるようになっている。
【０１１５】
図１６は、液晶パネル６に映し出される映像の種別に応じて実施される、制御部２Ａで
行われる液晶シャッター９の駆動制御と、液晶パネル６への映像出力制御とを説明するた
めの図である。
【０１１６】
図１６（ａ）は、運転者ＤＲ、助手席乗員ＰＡに対して地図映像（ＮＡＶＩ）を表示し
ている状態（分離表示を行っていない状態）を示している（図１５（ａ）と同じ状態）。
そして、助手席乗員ＰＡにＤＶＤ映像を視認させる分離表示が、操作部８を介して使用者
から指示された場合、図１６（ｂ）に示した表示状態に切り替えられる。
【０１１７】
なお、視認領域を広げる映像の優先順位が予め設定されており、この場合、ＤＶＤ映像
、ＴＶ映像、地図映像、ＣＤ映像（ＣＤの再生画面）の順に優先順位が設定されている（
ＤＶＤ映像の優先順位が最も高くなっている）。また、所定の設定画面を通じて使用者が
設定できるようになっていてもよい。
【０１１８】
図１６（ｂ）の場合、液晶シャッター９は、ＤＶＤ映像の視認領域が広くなるシャッタ
ーパターンに制御され、一方、液晶パネル６を構成する各画素列には、地図映像信号ＧN
とＤＶＤ映像信号ＧDとが１：２の割合で入力されており、ＤＶＤ映像の表示解像度を上
げる調整が行われるようになっている。また、ＤＶＤ映像信号ＧDの割合を更に高める調
整も可能である。
【０１１９】
そして、ＤＶＤの再生が終了し、ＣＤの選択画面を表示させる操作が行われると、図１
６（ｂ）の状態から図１６（ｃ）の状態に切り替えられる。この場合、液晶シャッター９
は、地図映像の視認領域が広くなるシャッターパターンに制御され、一方、液晶パネル６
を構成する各画素列には、地図映像信号ＧNとＣＤ映像信号ＧＣ とが２：１の割合で入力
されており、地図映像の表示解像度を上げる調整が行われるようになっている。また、地
図映像信号ＧNの割合を更に高める調整も可能である。
【０１２０】
図１７は、使用者による視認領域の変更操作があった場合、又は表示映像に対する操作
があった場合に実施される、制御部２Ａで行われる液晶シャッター９の駆動制御と、液晶
パネル６への映像出力制御とを説明するための図である。
【０１２１】
図１７（ａ）は、運転者ＤＲには、地図映像を視認させ、助手席乗員ＰＡには、ＤＶＤ
映像（ＤＶＤ）を視認させるための分離表示が行われている状態を示しており、液晶シャ
ッター９は、運転者ＤＲの方向と、助手席乗員ＰＡの方向とに分離表示するシャッターパ
ターンに制御され、一方、液晶パネル６を構成する各画素列には、地図映像信号ＧNとＤＶＤ映像信号ＧDとが交互に入力されるようになっている。
【０１２２】
図１７（ａ）に示した状態で、ＤＶＤ映像の視認領域の変更操作、又はＤＶＤ映像に対
する操作が検出されると図１７（ｂ）に示した表示状態に切り替えられる。すなわち、液
晶シャッター９が、ＤＶＤ映像の視認領域が広くなるシャッターパターンに制御され、一
方、液晶パネル６を構成する各画素列には、地図映像信号ＧNとＤＶＤ映像信号ＧDとが１：２の割合で入力されており、ＤＶＤ映像の表示解像度を上げる調整が行われている。
また、ＤＶＤ映像に対する操作（チャプター選択操作など）の場合は、所定時間後に図１
７（ａ）の表示状態に戻るように制御することも可能である。                        
【０１２３】
次に実施の形態（２）に係る表示制御装置が採用された表示装置１Ａにおける制御部２
Ａの行う処理動作を図１８に示したフロ−チャ−トに基づいて説明する。なお、本処理動
作は、分離表示する映像数の切替操作が検出された場合に実施される。
【０１２４】
まず、ステップＳ２１では、分離表示する映像数の切替操作があったか否かを判断し、
分離表示する映像数の切替操作がなかったと判断すれば処理を終える一方、分離表示する
映像数の切替操作があったと判断すればステップＳ２２に進む。
【０１２５】
ステップＳ２２では、分離表示する映像数を判定する処理を行い、その後ステップＳ２
３に進む。ステップＳ２３では、判定された映像数に対応したシャッターパターンが形成
されるように液晶シャッター９を駆動制御する処理、すなわち、判定された映像数に対応
したシャッターパターンを示すデータをメモリ１０から読み出し、ＶＲＡＭ１１に画像デ
ータとして書き込み、シャッター駆動部１２を駆動させて、液晶シャッター９へ出力する
処理を行い、その後ステップＳ２４に進む。
【０１２６】
ステップＳ２４では、判定された映像数に応じた液晶パネル６への映像出力制御、すな
わち、判定された映像数に応じて映像データを合成して、ＶＲＡＭ４に書き込み、パネル
駆動部５を駆動させて、液晶パネル６へ出力する処理を行い、その後処理を終える。
【０１２７】
次に実施の形態（２）に係る表示制御装置が採用された表示装置１Ａにおける制御部２
Ａの行う別の処理動作を図１９に示したフロ−チャ−トに基づいて説明する。なお、本処
理動作は、分離表示の操作が検出された場合に実施される。
【０１２８】
まず、ステップＳ３１では、分離表示の操作（分離表示に切り替える操作や分離表示中
における映像切替操作などを含む）があったか否かを判断し、分離表示の操作がなかった
と判断すれば処理を終了する一方、分離表示の操作があったと判断すれば、ステップＳ３
２に進む。
【０１２９】
ステップＳ３２では、分離表示された映像の種別（例えば、地図映像、ＤＶＤ映像、Ｔ
Ｖ映像、またはＣＤ映像なのか）を判定する処理を行い、その後ステップＳ３３に進む。
ステップＳ３３では、判定された映像種別に応じた液晶シャッター９の制御、例えば、運
転席用映像が地図映像、助手席用映像がＤＶＤ映像の場合は、ＤＶＤ映像の視認領域を広
げるシャッターパターンをメモリ１０から読み出し、ＶＲＡＭ１１に書き込み、液晶シャ
ッター９へ出力する処理を行い、その後ステップＳ３４に進む。
【０１３０】
ステップＳ３４では、判定された映像種別に応じた、液晶パネル６への映像出力制御、
例えば、運転席用映像が地図映像、助手席用映像がＤＶＤ映像の場合は、液晶パネル６の
画素列に入力するＤＶＤの映像信号の割合を高めて、ＤＶＤ映像の表示解像度を上げた映
像を映し出す処理を行い、その後処理を終える。
【０１３１】
次に実施の形態（２）に係る表示制御装置が採用された表示装置１Ａにおける制御部２
Ａの行うさらに別の処理動作を図２０に示したフローチャートに基づいて説明する。なお
、本処理動作は、分離表示されている場合に、いずれかの映像に対する視認領域の変更操
作が検出された場合に実行される。
【０１３２】
まず、ステップＳ４１では、いずれかの映像に対する視認領域の変更操作があったか否
かを判断し、視認領域の変更操作がなかったと判断すれば処理を終了する一方、視認領域
の変更操作があったと判断すれば、ステップＳ４２に進む。
【０１３３】
ステップＳ４２では、視認領域の変更操作があった映像を判定する処理を行い、その後
ステップＳ４３に進む。ステップＳ４３では、判定された映像の視認領域を広げるように
液晶シャッター９を駆動制御する処理、例えば、運転席用映像に対する視認領域の変更操
作があった場合は、運転席用映像の視認領域を広げるシャッターパターンをメモリ１０か
ら読み出し、ＶＲＡＭ１１に書き込み、液晶シャッター９へ出力する処理を行い、その後
ステップＳ４４に進む。
【０１３４】
ステップＳ４４では、判定された映像に応じた、液晶パネル６への映像出力制御、例え
ば、運転座席用映像の視野領域を広げたシャッターパターンに対応するように、液晶パネ
ル６の画素列に入力する運転座席用映像の信号の割合を高めて、運転座席用映像の表示解
像度を上げた映像を映し出す処理を行い、その後処理を終える。
【０１３５】
上記実施の形態（２）に係る表示制御装置によれば、メモリ１０から視認領域の変更条
件に対応したシャッターパターンを読み出し、該シャッターパターンに基づいて液晶シャ
ッター９による表示映像の視認領域の可変制御が行われるので、表示映像の視認領域を所
定のパターンに自在に変更させることができ、多様な映像表示を実現することができる。
また、表示映像の視認領域の可変制御と、液晶パネル６に映し出す表示映像の表示解像度
とを対応させるように表示制御が行われるので、表示映像の視認領域の変更に対応させて
、表示解像度を上げた映像を表示させることができ、所定の映像の視認領域を広げたり、
狭めることができ、所定の映像の視認性を向上させることができる。
【０１３６】
また、液晶パネル６に映し出される映像数に応じて、表示映像の視認領域を変更する制
御と、表示映像の表示解像度の調整制御とが対応付けて行われるので、液晶パネル６に映
し出される映像数を少なくするほど、表示映像の解像度を上げることができ、視認性を向
上させることができる。
【０１３７】
また、液晶パネル６に映し出される映像の種別に応じて、表示映像の視認領域を変更す
る制御と、表示映像の表示解像度の調整制御とが対応付けて行われるので、視認領域を広
げた映像の表示解像度も上げることができ、視認性も向上させることができる。
【０１３８】
また、液晶パネル６に映し出された、いずれかの映像に対する視認領域の変更操作に応
じて、表示映像の視認領域を変更する制御と、表示映像の表示解像度の調整制御とが対応
付けて行われるので、視認領域を広げた映像の表示解像度も上げることができ、視認性も
向上させることができる。
【０１３９】
また、液晶パネル６に映し出された、いずれかの映像に対する操作に応じて、表示映像
の視認領域を変更する制御と、表示映像の表示解像度の調整制御とが対応付けて行われる
ので、操作が検出された映像の視野領域が広げられるとともに表示解像度も上げることが
でき、視認性や操作性を向上させることができる。
【０１４０】
なお、上記実施の形態（１）、（２）では、本発明に係る表示制御装置、及び表示装置
を車載用のＡＶ・ナビゲーションシステムに適用した場合について説明したが、本発明に
係る表示制御装置、及び表示装置は、車載用に限定されるものではなく、ホーム用等にも
適用することができる。
【図面の簡単な説明】
【０１４１】
【図１】本発明に係る表示装置が備えている機能を概念的に示した図である。
【図２】本発明に係る表示装置が車両へ搭載された状態を示した斜視図である。
【図３】（ａ）は、本発明に係る表示装置の表示部を正面から見たときの表示状態を模式的に示した図であり、（ｂ）は、（ａ）におけるＢ−Ｂ線断面図である。
【図４】表示部を構成するＴＦＴ基板の概略構成を示す回路図である。
【図５】本発明に係る表示装置を含んで構成されるＡＶナビゲーションシステムの要部を概略的に示したブロック図である。
【図６】画像出力部の概略構成を示したブロック図である。
【図７】メモリの概略構成を示したブロック図である。
【図８】制御部の概略構成を示したブロック図である。
【図９】本発明の実施の形態（１）に係る表示制御装置が採用された表示装置を含んで構成されるＡＶ・ナビゲーションシステムの要部を概略的に示したブロック図である。
【図１０】表示装置を構成する液晶パネルと表示分離シャッターとの構造を模式的に示した図である。
【図１１】実施の形態（１）に係る表示制御装置が採用された表示装置における制御部の行う処理動作を示したフローチャートである。
【図１２】実施の形態（１）に係る表示制御装置が採用された表示装置における制御部の行う別の処理動作を示したフローチャートである。
【図１３】実施の形態（２）に係る表示制御装置が採用された表示装置を含んで構成されるＡＶ・ナビゲーションシステムの要部を概略的に示したブロック図である。
【図１４】表示装置を構成する液晶パネルと液晶シャッターとの構造を模式的に示した図である。
【図１５】（ａ）〜（ｃ）は、液晶パネルに映し出される映像数に応じて実施される、制御部で行われる液晶シャッターの駆動制御と、液晶パネルへの映像出力制御とを説明するための図である。
【図１６】（ａ）〜（ｃ）は、液晶パネルに映し出される映像の種別に応じて実施される、制御部で行われる液晶シャッターの駆動制御と、液晶パネルへの映像出力制御とを説明するための図である。
【図１７】（ａ）、（ｂ）は、使用者による視認領域の変更操作があった場合、又は表示映像に対する操作があった場合に実施される、制御部で行われる液晶シャッターの駆動制御と、液晶パネルへの映像出力制御とを説明するための図である。
【図１８】実施の形態（２）に係る表示制御装置が採用された表示装置における制御部の行う処理動作を示したフローチャートである。
【図１９】実施の形態（２）に係る表示制御装置が採用された表示装置における制御部の行う別の処理動作を示したフローチャートである。
【図２０】実施の形態（２）に係る表示制御装置が採用された表示装置における制御部の行う更に別の処理動作を示したフローチャートである。
【図２１】分離表示を実現する従来の表示装置の構造を模式的に示した図である。
【図２２】（ａ）、（ｂ）は表示装置を構成する表示部に表示される一例を示した図である。
【図２３】表示装置を構成する表示部に表示される一例を示した図である。
【図２４】分離表示を実現する従来の別の表示装置の構造を模式的に示した図である。
【符号の説明】
【０１４２】
１、１Ａ  表示装置
２、２Ａ  制御部
３  映像処理部
４  ＶＲＡＭ
５  パネル駆動部
６  液晶パネル
７  分離表示シャッター
８  操作部
【図１】
2006184859.tif 000003
【図２】
2006184859.tif 000004
【図３】
2006184859.tif 000005
【図４】
2006184859.tif 000006
【図５】
2006184859.tif 000007
【図６】
2006184859.tif 000008
【図７】
2006184859.tif 000009
【図８】
2006184859.tif 000010
【図９】
2006184859.tif 000011
【図１０】
2006184859.tif 000012
【図１１】
2006184859.tif 000013
【図１２】
2006184859.tif 000014
【図１３】
2006184859.tif 000015
【図１４】
2006184859.tif 000016
【図１５】
2006184859.tif 000017
【図１６】
2006184859.tif 000018
【図１７】
2006184859.tif 000019
【図１８】
2006184859.tif 000020
【図１９】
2006184859.tif 000021
【図２０】
2006184859.tif 000022
【図２１】
2006184859.tif 000023
【図２２】
2006184859.tif 000024
【図２３】
2006184859.tif 000025
【図２４】
2006184859.tif 000026